(57)【要約】【課題】  簡単にＩＱインバランスを補償することができる不平衡補償装置、送信装置、受信装置、及び不平衡補償方法を提供する。【解決手段】  不平衡補償装置は、信号の同相成分及び直交位相成分の間の不平衡を補償する不平衡補償装置において、前記信号から上側波帯の信号成分または下側波帯の信号成分を抽出する抽出部と、前記抽出部が抽出した前記上側波帯の信号成分または前記下側波帯の信号成分のパワーを測定する測定部と、前記測定部が測定したパワーに基づき前記不平衡に関するパラメータを調整する調整部とを有する。【選択図】図１
2018170749.tif 000002
【特許請求の範囲】
【請求項１】
信号の同相成分及び直交位相成分の間の不平衡を補償する不平衡補償装置において、
前記信号から上側波帯の信号成分または下側波帯の信号成分を抽出する抽出部と、
前記抽出部が抽出した前記上側波帯の信号成分または前記下側波帯の信号成分のパワーを測定する測定部と、
前記測定部が測定したパワーに基づき前記不平衡に関するパラメータを調整する調整部とを有することを特徴とする不平衡補償装置。
【請求項２】
前記信号は、単側波帯信号であることを特徴とする請求項１に記載の不平衡補償装置。
【請求項３】
前記抽出部は、前記上側波帯の信号成分及び前記下側波帯の信号成分のうち、パワーが小さいほうを抽出し、
前記調整部は、前記測定部が測定したパワーが最小となるように前記パラメータを調整することを特徴とする請求項１または２に記載の不平衡補償装置。
【請求項４】
前記抽出部は、前記上側波帯の信号成分及び前記下側波帯の信号成分のうち、パワーが大きいほうを抽出し、
前記調整部は、前記測定部が測定したパワーが最大となるように前記パラメータを調整することを特徴とする請求項１または２に記載の不平衡補償装置。
【請求項５】
同相成分及び直交位相成分を含む信号を送信する送信装置において、
前記信号の上側波帯の信号成分のパワーと下側波帯の信号成分のパワーが相違するように前記信号を変換する変換部と、
前記変換部により変換された前記信号から前記上側波帯の信号成分または前記下側波帯の信号成分を抽出する抽出部と、
前記抽出部が抽出した前記上側波帯の信号成分または前記下側波帯の信号成分のパワーを測定する測定部と、
前記測定部が測定したパワーに基づき、前記同相成分及び前記直交位相成分の間の不平衡に関するパラメータを調整する調整部とを有することを特徴とする送信装置。
【請求項６】
同相成分及び直交位相成分を含む信号を受信する受信装置において、
前記信号から上側波帯の信号成分または下側波帯の信号成分を抽出する抽出部と、
前記抽出部が抽出した前記上側波帯の信号成分または前記下側波帯の信号成分のパワーを測定する測定部と、
前記測定部が測定したパワーに基づき、前記同相成分及び前記直交位相成分の間の不平衡に関するパラメータを調整する調整部とを有することを特徴とする受信装置。
【請求項７】
前記信号の上側波帯の信号成分のパワーと下側波帯の信号成分のパワーが相違するように前記信号を変換する変換部を有し、
前記抽出部は、前記変換部により変換された信号から前記上側波帯の信号成分または前記下側波帯の信号成分を抽出することを特徴とする請求項６に記載の受信装置。
【請求項８】
信号の同相成分及び直交位相成分の間の不平衡を補償する不平衡補償方法において、
前記信号から上側波帯の信号成分または下側波帯の信号成分を抽出し、
該抽出した前記上側波帯の信号成分または前記下側波帯の信号成分のパワーを測定し、
該測定したパワーに基づき前記不平衡に関するパラメータを調整することを特徴とする不平衡補償方法。
【発明の詳細な説明】
【技術分野】
【０００１】
本件は、不平衡補償装置、送信装置、受信装置、及び不平衡補償方法に関する。
【背景技術】
【０００２】
大容量のデータ伝送の需要の増加に応じ、例えば、１つの波長光で１００（Ｇｂｐｓ）以上の伝送を可能とするデジタルコヒーレント光伝送方式の研究開発が行われている。デジタルコヒーレント光伝送方式では、強度変調方式とは異なり、信号の変調に、光の強度だけでなく、光の位相も用いられる。このような変調方式としては、例えば直交振幅変調（QAM: Quadrature Amplitude Modulation）が挙げられる。ＱＡＭでは、同相成分（in-phase）と直交位相成分（quadrature）の各信号の振幅が調整される。
【０００３】
この種の変調方式では、送信器及び受信器の各々において同相成分の信号と直交位相成分の信号の間のスキュー、パワー差、及び直交偏差（位相回転）が生ずる。この事象は、例えばＩＱインバランス（あるいはＩＱ不平衡、ＩＱ不完全性など）と呼ばれ、信号劣化の原因となる。これに対し、例えば特許文献１及び２にはＩＱインバランスの補償手段について記載されている。
【先行技術文献】
【特許文献】
【０００４】
【特許文献１】特開２００９−１４７４９８号公報
【特許文献２】特開２０１２−８５３０２号公報
【発明の概要】
【発明が解決しようとする課題】
【０００５】
しかし、特許文献１に記載された手法では、リファレンスシグナルとヌルシンボルの配置からＩＱインバランスを推定するために複雑な処理が必要とされ、特許文献２に記載された手法では、複雑な数式に基づく算出処理が必要とされる。
【０００６】
そこで本件は、簡単にＩＱインバランスを補償することができる不平衡補償装置、送信装置、受信装置、及び不平衡補償方法を提供することを目的とする。
【課題を解決するための手段】
【０００７】
１つの態様では、不平衡補償装置は、信号の同相成分及び直交位相成分の間の不平衡を補償する不平衡補償装置において、前記信号から上側波帯の信号成分または下側波帯の信号成分を抽出する抽出部と、前記抽出部が抽出した前記上側波帯の信号成分または前記下側波帯の信号成分のパワーを測定する測定部と、前記測定部が測定したパワーに基づき前記不平衡に関するパラメータを調整する調整部とを有する。
【０００８】
１つの態様では、送信装置は、同相成分及び直交位相成分を含む信号を送信する送信装置において、前記信号の上側波帯の信号成分のパワーと下側波帯の信号成分のパワーが相違するように前記信号を変換する変換部と、前記変換部により変換された前記信号から前記上側波帯の信号成分または前記下側波帯の信号成分を抽出する抽出部と、前記抽出部が抽出した前記上側波帯の信号成分または前記下側波帯の信号成分のパワーを測定する測定部と、前記測定部が測定したパワーに基づき、前記同相成分及び前記直交位相成分の間の不平衡に関するパラメータを調整する調整部とを有する。
【０００９】
１つの態様では、受信装置は、同相成分及び直交位相成分を含む信号を受信する受信装置において、前記信号から上側波帯の信号成分または下側波帯の信号成分を抽出する抽出部と、前記抽出部が抽出した前記上側波帯の信号成分または前記下側波帯の信号成分のパワーを測定する測定部と、前記測定部が測定したパワーに基づき、前記同相成分及び前記直交位相成分の間の不平衡に関するパラメータを調整する調整部とを有する。
【００１０】
１つの態様では、不平衡補償方法は、信号の同相成分及び直交位相成分の間の不平衡を補償する不平衡補償方法において、前記信号から上側波帯の信号成分または下側波帯の信号成分を抽出し、該抽出した前記上側波帯の信号成分または前記下側波帯の信号成分のパワーを測定し、該測定したパワーに基づき前記不平衡に関するパラメータを調整する方法である。
【発明の効果】
【００１１】
１つの側面として、簡単にＩＱインバランスを補償することができる。
【図面の簡単な説明】
【００１２】
【図１】信号のスペクトルの例を示す構成図である。
【図２】ＩＱインバランスの数値シミュレーションに用いる構成の一例を示す図である。
【図３】ＩＱインバランスに応じた信号のスペクトルの変化の例を示す波形図である。
【図４】バンドパスフィルタを通過した信号のスペクトルの例を示す波形図である。
【図５】バンドパスフィルタの通過帯域の中心周波数に応じたクロストーク成分のパワーの変化の例を示す波形図である。
【図６】送信装置及び不平衡補償装置の一例を示す構成図である。
【図７】送信装置におけるＩＱインバランスの補償処理の一例を示すフローチャートである。
【図８】送信装置におけるＩＱインバランスの補償処理の他例を示すフローチャートである。
【図９】受信装置及び不平衡補償装置の一例を示す構成図である。
【図１０】受信装置の局発光の中心周波数の一例を示す図である。
【図１１】受信装置におけるＩＱインバランスの補償処理の一例を示すフローチャートである。
【図１２】受信装置におけるＩＱインバランスの補償処理の他例を示すフローチャートである。
【図１３】送信装置のＩＱインバランスを補償する伝送システムの一例を示す構成図である。
【図１４】送信装置のＩＱインバランスを補償する伝送システムの他の例を示す構成図である。
【図１５】送信装置のＩＱインバランスを補償する伝送システムの他の例を示す構成図である。
【図１６】伝送システムの制御動作の一例を示すフローチャートである。
【発明を実施するための形態】
【００１３】
図１は、信号のスペクトルの例を示す構成図である。符号Ｇ１は、ＩＱインバランスにより信号のスペクトルの上側波帯（USB: Upper Side Band）Ｓａ及び下側波帯（LSB: Lower Side Band）Ｓｂに生ずるクロストーク成分Ｎａ，Ｎｂを示す。
【００１４】
Ｓα（ω）＝ｃｏｓ（ωτ／２）Ｓ（ω）＋ｓｉｎ（ωτ／２）Ｓ＊（−ω）
・・・（１）
【００１５】
同相成分及び直交位相成分の間にスキューが存在しない理想的な信号のスペクトルをＳ（ω）とすると、スキューτが存在する信号のスペクトルＳα（ω）は上記の式（１）により表される。式（１）において、変数ωは角速度（＝２π×周波数）である。
【００１６】
Ｓβ（ω）＝Ｋ１Ｓ（ω）＋Ｋ２Ｓ＊（−ω）   ・・・（２）
【００１７】
また、同相成分及び直交位相成分の間にパワー差や直交偏差が存在する信号のスペクトルＳβ（ω）は、式（１）と同様に、上記の式（２）で表される。式（２）において、変数Ｋ１、Ｋ２は、パワー差や直交偏差に応じて決定される複素係数である。
【００１８】
式（１）及び式（２）より、ＩＱインバランスは、信号の上側波帯Ｓａ及び下側波帯Ｓｂの一方から他方に生ずるクロストーク成分Ｎａ，Ｎｂとして周波数軸上に表されることが理解される。より具体的には、点線で示されるように、上側波帯Ｓａは下側波帯Ｓｂに干渉することによりクロストーク成分Ｎａを生じさせ、下側波帯Ｓｂは上側波帯Ｓａに干渉することによりクロストーク成分Ｎｂを生じさせる。
【００１９】
したがって、符号Ｇ２で示されるように、上側波帯Ｓａに信号帯域を有する単側波帯（SSB: Single Side Band）信号を送受信する場合、信号の下側波帯Ｓｂにクロストーク成分Ｎａが付加される。このため、クロストーク成分Ｎａのパワーを測定することによりＩＱインバランスの大きさ（つまり、ＩＱインバランスの程度）を検出することができる。
【００２０】
また、単側波帯信号に限られず、符号Ｇ３で示されるように、上側波帯Ｓａの信号成分のパワーの平均値と下側波帯Ｓｂの信号成分のパワーの平均値が相違する信号を送受信することによってもＩＱインバランスの大きさを検出することができる。より具体的には、上側波帯Ｓａの信号成分のパワーが下側波帯Ｓｂの信号成分のパワーの平均値よりΔＰだけ大きいため、クロストーク成分Ｎａを付与された下側波帯Ｓｂの信号成分のパワーからＩＱインバランスの大きさを検出することができる。
【００２１】
また、符号Ｇ４で示されるように、下側波帯Ｓｂに信号帯域を有する単側波帯信号を送受信する場合、信号の上側波帯Ｓａにクロストーク成分Ｎｂが付加される。このため、上側波帯Ｓａのクロストーク成分Ｎｂのパワーを測定することによりＩＱインバランスの大きさを検出することができる。さらに、図示は省略するが、下側波帯Ｓｂの信号成分のパワーが下側波帯Ｓｂの信号成分のパワーの平均値より所定値だけ大きい信号を送受信した場合も同様にＩＱインバランスの大きさを検出することができる。
【００２２】
このように、上側波帯Ｓａの信号成分のパワーの平均値と下側波帯Ｓｂの信号成分のパワーの平均値が相違する信号を送受信することによって、ＩＱインバランスの大きさを検出することができる。さらに、上側波帯Ｓａまたは下側波帯Ｓｂに信号帯域を有する単側波帯信号を送受信する場合、その反対側の下側波帯Ｓｂまたは上側波帯Ｓａにはクロストーク成分Ｎａ，Ｎｂだけが含まれるため、ＩＱインバランスの大きさを高精度に検出することができる。
【００２３】
図２は、ＩＱインバランスの数値シミュレーションに用いる構成の一例を示す図である。数値シミュレーションの構成には、ナイキストフィルタ９０、ローパスフィルタ（LPF: Low-Pass Filter）９１，９８、加算器９２０，９２１、アンプ９３、ヒルベルト変換部９４、スキュー付与部９５、乗算器９６，９７、及びモニタ部９９が含まれる。モニタ部９９には、バンドパスフィルタ（BPF: Band-Pass Filter）９９０及びパワー検出部９９１が含まれる。
【００２４】
ナイキストフィルタ９０、ＬＰＦ９１、加算器９２０、アンプ９３、加算器９２１、ＢＰＦ９９０、及びパワー検出部９９１は、この順で直列に接続されている。ヒルベルト変換部９４、スキュー付与部９５、乗算器９６，９７、及びＬＰＦ９８は、この順で直列に接続されている。
【００２５】
信号Ｓは、ナイキストフィルタ９０を通過することにより波形を整形された後、分岐してＬＰＦ９１及びヒルベルト変換部９４に入力される。なお、信号Ｓの変調方式は「ＳＳＢ  ＯＮ−ＯＦＦ  ｋｅｙｉｎｇ」とし、シンボルレートは３２（Gbaud）とし、ナイキストフィルタ９０のロールオフ率は０．０１とする。
【００２６】
一方の信号ＳはＬＰＦ９１を通過することにより、ＳＳＢの同相成分の信号Ｓｉに変換される。他方の信号Ｓはヒルベルト変換部９４によりヒルベルト変換されてＳＳＢ成分だけの信号となる。信号Ｓは、ヒルベルト変換された後、スキュー付与部９５によりスキューτ（ps）が付与される。
【００２７】
次に、信号Ｓは、乗算器９６により直交偏差φerが与えられ、さらに後段の乗算器９７により係数Ｋに従うパワーの誤差が与えられる。このように、スキュー付与部９５及び乗算器９６，９７によりＩＱインバランスを信号Ｓに与えることができる。
【００２８】
その後、信号Ｓは、ＬＰＦ９８を通過することにより、ＳＳＢの直交位相成分の信号Ｓｑに変換される。なお、ＬＰＦ９１，９８は、一例として、伝達関数が４次のベッセル関数であり、２１（GHz）の通過帯域を有する。
【００２９】
同相成分の信号Ｓｉと直交位相成分の信号Ｓｑは、加算器９２０に入力されることにより合成される。合成後の信号Ｓ’は、図１の符号Ｇ２で示されるように、上側波帯の信号成分だけを含む。
【００３０】
信号Ｓ’は、アンプ９３により出力パワーが所定値となるように増幅された後、加算器９２１により白色ガウス雑音（AWGN: Additive White Gaussian Noise）が加えられる。なお、白色ガウス雑音は、一例として５０（ｄＢ）のＯＳＮＲ（Optical Signal-to-Noise Ratio）に相当する。
【００３１】
モニタ部９９は、信号Ｓ’のクロストーク成分のパワーを検出する。ＢＰＦ９９０は、信号Ｓ’から通過帯域の信号成分を通過させる。符号Ｇ５は、信号Ｓ’のスペクトルとＢＰＦ９９０の通過帯域Ｂを示す。通過帯域Ｂの中心周波数ｆｃは、信号Ｓ’の中心周波数ｆｏから下側波帯の側にΔｆだけずれている。これにより、ＢＰＦ９９０は、信号Ｓ’の下側波帯のクロストーク成分Ｎｃを抽出してパワー検出部９９１に出力する。なお、ＢＰＦ９９０は、一例として、伝達関数が４次のガウス関数であり、１２．５（GHz）の通過帯域を有する。
【００３２】
パワー検出部９９１は、信号Ｓ’のクロストーク成分Ｎｃのパワーを検出する。以下に述べるように、クロストーク成分ＮのパワーからＩＱインバランスの大きさを測定することができる。
【００３３】
図３は、ＩＱインバランスに応じた信号Ｓ’のスペクトルの変化の例を示す波形図である。波形図はＢＰＦ９９０に入力される信号Ｓ’の波形を示し、その横軸は周波数を示し、その縦軸はパワー（ｄＢ）を示す。なお、信号Ｓ’の中心周波数は０（GHz）とする。
【００３４】
符号Ｇａは、信号Ｓ’の同相成分と直交位相成分の間のスキューを０（ps）、１（ps）、３（ps）、及び５（ps）としたときのスペクトルの変化を示す。スキューが増加するほど、下側波帯（−５０〜０（GHz））のクロストーク成分Ｎｃのパワーは増加する。
【００３５】
符号Ｇｂは、信号Ｓ’の同相成分と直交位相成分の間のパワー差を０（％）、１０（％）、２０（％）、及び３０（％）としたときのスペクトルの変化を示す。パワー差が増加するほど、下側波帯のクロストーク成分Ｎｃのパワーは増加する。
【００３６】
符号Ｇｃは、信号Ｓ’の同相成分と直交位相成分の間の直交偏差を０（rad）、０．１（rad）、０．２（rad）、及び０．３（rad）としたときのスペクトルの変化を示す。直交偏差が増加するほど、下側波帯のクロストーク成分Ｎｃのパワーは増加する。
【００３７】
このように、クロストーク成分Ｎｃのパワーは、ＩＱインバランスの大きさに応じて増加する。したがって、信号Ｓ’の下側波帯のクロストーク成分ＮｃをＢＰＦ９９０により抽出して、そのパワーをパワー検出部９９１で検出することにより、ＩＱインバランスの大きさをモニタすることが可能となる。
【００３８】
図４は、ＢＰＦ９９０を通過した信号Ｓ’のスペクトルの例を示す波形図である。符号Ｇｄは、スキューを３（ps）とした場合のＢＰＦ９９０の通過の前後の信号Ｓ’のスペクトルを示す。このように、ＢＰＦ９９０は、信号Ｓ’からクロストーク成分Ｎｃを抽出することができる。
【００３９】
符号Ｇｆは、スキューを３（ps）とした場合において、信号Ｓ’の中心周波数ｆｏと通過帯域Ｂの中心周波数ｆｃの差分Δｆを０（GHz）、４（GHz）、及び１２（GHz）としたときのスペクトルの変化を示す。本例では、差分Δｆ＝１２（GHz）の場合、最も良好にクロストーク成分Ｎｃを抽出することができる。
【００４０】
図５は、ＢＰＦ９９０の通過帯域の中心周波数ｆｃに応じたクロストーク成分Ｎｃのパワーの変化の例を示す波形図である。符号Ｇｇは、差分Δｆを０（GHz）、４（GHz）、８（GHz）、１２（GHz）、１６（GHz）、及び２０（GHz）としたときのスキューに対するパワーの変化を示す。符号Ｇｈは、差分Δｆを０（GHz）、４（GHz）、８（GHz）、１２（GHz）、１６（GHz）、及び２０（GHz）としたときのパワー差に対するパワーの変化を示す。符号Ｇｉは、差分Δｆを０（GHz）、４（GHz）、８（GHz）、１２（GHz）、１６（GHz）、及び２０（GHz）としたときの直交偏差に対するパワーの変化を示す。
【００４１】
符号Ｇｇ〜Ｇｉのグラフから理解されるように、差分Δｆ＝０（GHz）及び４（GHz）の場合、信号Ｓ’の上側波帯の成分が強くなるため、ＩＱインバランスのモニタが不可能である。しかし、差分Δｆ＝８（GHz）、１２（GHz）、１６（GHz）、及び２０（GHz）の場合、信号Ｓ’の下側波帯の成分が強くなるため、ＩＱインバランスのモニタが可能である。
【００４２】
そこで、実施例の不平衡補償装置は、ＩＱインバランスのモニタ結果に応じて、信号の同相成分と直交位相成分の間のパワー差、スキュー、及び直交偏差を調整することにより、ＩＱインバランスを補償する。
【００４３】
図６は、送信装置１及び不平衡補償装置３の一例を示す構成図である。不平衡補償装置３は、送信装置１から送信される試験信号Ｓｔから送信装置１のＩＱインバランスをモニタし、モニタ結果に応じて、送信装置１に対し、試験信号Ｓｔの同相成分と直交位相成分の間のパワー差、スキュー、及び直交偏差を調整する。試験信号Ｓｔは、同相成分及び直交位相成分を含む信号の一例である。
【００４４】
送信装置１は、偏波多重方式を用い、デジタルコヒーレント光伝送方式に従って試験信号Ｓｔを伝送する。送信装置１は、送信処理回路１０と、ＢＰＦ１８ａ，１８ｂと、デジタルアナログ変換器（Digital-to-Analog Converter）１２ａ〜１２ｄと、光変調部１９とを有する。光変調部１９は、光源１１と、マッハツェンダ変調器（MZM: Mach-Zehnder Modulator）１３ａ〜１３ｄと、偏波ビームスプリッタ（PBS: Polarization Beam Splitter）１４と、偏波ビームコンバイナ（PBC: Polarization Beam Combiner）１５と、位相シフタ１６ａ，１６ｂとを有する。
【００４５】
送信処理回路１０は、他装置から入力されたデータ信号Ｄｔから４つのデジタル信号Ｘｉ，Ｘｑ，Ｙｉ，Ｙｑを生成する。送信処理回路１０は、分配部１００、マッピング部１０１ａ，１０１ｂ、振幅調整部１０２ａ〜１０２ｄ、及びデスキュー部１０３ａ〜１０３ｄを有する。なお、送信処理回路１０としては、例えばＤＳＰ（Digital Signal Processor）が挙げられるが、これに限定されず、例えばＦＰＧＡ（Field Programmable Gate Array）であってもよい。また、送信処理回路１０には、上記以外の機能が含まれてもよい。
【００４６】
分配部１００は、データ信号Ｄｔをマッピング部１０１ａ，１０１ｂに分配する。マッピング部１０１ａ，１０１ｂは、データ信号Ｄｔを変調処理（例えばＱＡＭ）のシンボルにマッピングする。マッピング部１０１ａは、Ｘ偏波に割り当てるデータ信号Ｄｔのマッピング処理を実行し、マッピング部１０１ｂは、Ｙ偏波に割り当てるデータ信号Ｄｔのマッピング処理を実行する。
【００４７】
マッピング部１０１ａは、Ｘ偏波のデータ信号Ｄｔのうち、同相成分を振幅調整部１０２ａに出力し、直交位相成分を振幅調整部１０２ｂに出力する。マッピング部１０１ｂは、Ｙ偏波のデータ信号Ｄｔのうち、同相成分を振幅調整部１０２ｃに出力し、直交位相成分を振幅調整部１０２ｄに出力する。
【００４８】
振幅調整部１０２ａ〜１０２ｄは、アンプ回路などを含み、マッピング部１０１ａ，１０１ｂから入力された信号成分の振幅を、不平衡補償装置３から与えられた設定値に従い調整する。振幅の調整後の信号成分はデスキュー部１０３ａ〜１０３ｄに入力される。なお、振幅調整部１０２ａ〜１０２ｄは、デスキュー部１０３ａ〜１０３ｄの後段に設けられてもよい。
【００４９】
デスキュー部１０３ａ〜１０３ｄは、遅延挿入回路などを含み、振幅調整部１０２ａ〜１０２ｄから入力された信号成分のスキューを、不平衡補償装置３から与えられた設定値に従い調整する。スキューの調整後の信号成分はＢＰＦ１８ａ〜１８ｄに入力される。
【００５０】
ＢＰＦ１８ａ〜１８ｄは、電気的なフィルタであり、デスキュー部１０３ａ〜１０３ｄから入力された信号成分から所定の通過帯域の信号成分を抽出する。より具体的には、ＢＰＦ１８ａ〜１８ｄは、所定の通過帯域の信号成分を抽出することにより、図１の符号Ｇ２で示されるようなＳＳＢ信号を生成する。
【００５１】
また、ＢＰＦ１８ａ〜１８ｄは、ＳＳＢ信号に限定されず、図１の符号Ｇ３で示されるように、上側波帯の信号成分のパワーの平均値と下側波帯の信号成分のパワーの平均値が相違する信号を生成してもよい。すなわち、ＢＰＦ１８ａ〜１８ｄは、変換部の一例であり、信号の上側波帯の信号成分のパワーと下側波帯の信号成分のパワーが相違するように信号を変換する。
【００５２】
ＢＰＦ１８ａは、抽出した信号をＸ偏波の同相成分のデジタル信号ＸｉとしてＤＡＣ１２ａに出力し、ＢＰＦ１８ｂは、抽出した信号をＸ偏波の直交位相成分のデジタル信号ＸｑとしてＤＡＣ１２ｂに出力する。ＢＰＦ１８ｃは、抽出した信号をＹ偏波の同相成分のデジタル信号ＹｉとしてＤＡＣ１２ｃに出力し、ＢＰＦ１８ｄは、抽出した信号をＹ偏波の直交位相成分のデジタル信号ＹｑとしてＤＡＣ１２ｄに出力する。
【００５３】
ＤＡＣ１２ａ〜１２ｄは、デジタル信号Ｘｉ，Ｘｑ，Ｙｉ，Ｙｑをそれぞれアナログ信号に変換する。アナログ信号は、ＭＺＭ１３ａ〜１３ｄに入力される。なお、ＤＡＣ１２ａ〜１２ｄは、送信処理回路１０内に構成されてもよい。また、振幅調整部１０２ａ〜１０２ｄ及びデスキュー部１０３ａ〜１０３ｄは、ＤＡＣ１２ａ〜１２ｄの前段に設けられているが、ＤＡＣ１２ａ〜１２ｄの後段に設けられてもよい。
【００５４】
光源１１は、例えばＬＤ（Laser Diode）であり、所定の周波数の局発光ＬＯｓをＰＢＳ１４に出力する。ＰＢＳ１４は、局発光ＬＯｓを、Ｘ軸及びＹ軸（偏光軸）に分離する。局発光ＬＯｓのＸ軸成分はＭＺＭ１３ａ，１３ｂにそれぞれ入力され、局発光ＬＯｓのＹ軸成分はＭＺＭ１３ｃ，１３ｄにそれぞれ入力される。
【００５５】
ＭＺＭ１３ａ〜１３ｄは、ＤＡＣ１２ａ〜１２ｄからのアナログ信号に基づき局発光ＬＯｓを光変調する。より具体的には、ＭＺＭ１３ａ，１３ｂは、局発光ＬＯｓのＸ軸成分をＤＡＣ１２ａ，１２ｂからのアナログ信号に基づき光変調し、ＭＺＭ１３ｃ，１３ｄは、局発光ＬＯｓのＹ軸成分をＤＡＣ１２ｃ，１２ｄからのアナログ信号に基づき光変調する。
【００５６】
また、直交位相成分（Ｘｑ，Ｙｑ）に対応するＭＺＭ１３ｂ，１３ｄの後段には位相シフタ１６ａ，１６ｂが接続されている。位相シフタ１６ａ，１６ｂは、位相変調器などから構成され、ＭＺＭ１３ｂ，１３ｄの出力光の位相をπ／２だけシフトする。また、位相シフタ１６ａ，１６ｂは、位相シフト量（π／２）を不平衡補償装置３から与えられた設定値に従い調整する。このため、位相シフト量は、設定値に基づく微調整値をπ／２に加算した値となる。
【００５７】
光変調された局発光ＬＯｓのＸ軸成分及びＹ軸成分はＰＢＣ１５に入力される。ＰＢＣ１５は、局発光ＬＯｓのＸ軸成分及びＹ軸成分を偏波合成して、試験信号Ｓｔとして不平衡補償装置３に出力する。
【００５８】
不平衡補償装置３は、ＢＰＦ３０と、パワー測定部３１と、パラメータ調整部３２とを有する。不平衡補償装置３は、送信装置１に対し、偏波ごとにＩＱインバランスを補償する。
【００５９】
このため、パラメータ調整部３２は、Ｘ偏波についてＩＱインバランスを補償する場合、Ｙ偏波のＭＺＭ１３ｃ，１３ｄの動作を停止制御することでＹ偏波のデジタル信号Ｙｉ，Ｙｑを無変調状態とする。また、パラメータ調整部３２は、Ｙ偏波についてＩＱインバランスを補償する場合、Ｘ偏波のＭＺＭ１３ａ，１３ｂの動作を停止制御することでＸ偏波のデジタル信号Ｘｉ，Ｘｑを無変調状態とする。なお、パラメータ調整部３２は、例えば光スイッチを切り替えることにより局発光ＬＯｓのＸ軸成分及びＹ軸成分の一方だけがＭＺＭ１３ａ〜１３ｄに入力されるように制御してもよい。
【００６０】
ＢＰＦ３０は、光学フィルタであり、ＰＢＣ１５から試験信号Ｓｔが入力され、試験信号Ｓｔの上側波帯または下側波帯の信号成分を通過させる。つまり、ＢＰＦ３０は、抽出部の一例であり、試験信号Ｓｔから上側波帯または下側波帯の信号成分を抽出する。
【００６１】
例えば、ＢＰＦ３０に、図１の符号Ｇ２及びＧ３で示される試験信号Ｓｔが入力される場合、ＢＰＦ３０は、下側波帯Ｓｂの信号成分を抽出する。また、ＢＰＦ３０に、図１の符号Ｇ４で示される試験信号Ｓｔが入力される場合、ＢＰＦ３０は、上側波帯Ｓａの信号成分を抽出する。つまり、ＢＰＦ３０は、上側波帯Ｓａの信号成分及び下側波帯Ｓｂの信号成分のうち、パワー（平均値）が小さいほうを抽出する。
【００６２】
このため、ＩＱインバランスによって試験信号Ｓｔに生じたクロストーク成分がＢＰＦ３０により抽出される。ＢＰＦ３０により抽出された信号成分はパワー測定部３１に入力される。
【００６３】
パワー測定部３１は、例えばフォトダイオードなどから構成され、ＢＰＦ３０が抽出した信号成分のパワーを測定する。このため、不平衡補償装置３は、パワー測定部３１が測定したパワーに基づき、送信装置１のＩＱインバランスの大きさをモニタすることができる。パワー測定部３１は、測定したパワーをパラメータ調整部３２に通知する。なお、パワー測定部３１は測定部の一例である。
【００６４】
パラメータ調整部３２は、調整部の一例であり、パワー測定部３１が測定したパワーに基づきＩＱインバランスに関するパラメータを調整する。パラメータ調整部３２は、例えばＦＰＧＡなどにより構成され、パワー測定部３１が測定したパワーに基づいて、振幅調整部１０２ａ〜１０２ｄ、デスキュー部１０３ａ〜１０３ｄ、及び位相シフタ１６ａ，１６ｂの各設定値を調整する。なお、各設定値は、ＩＱインバランスに関するパラメータの一例である。
【００６５】
このように、不平衡補償装置３は、上側波帯の信号成分のパワーの平均値と下側波帯の信号成分のパワーの平均値が相違する試験信号Ｓｔのパワーを測定し、そのパワーに応じて試験信号Ｓｔの同相成分及び直交位相成分の間の不平衡、つまりＩＱインバランスを補償する。このため、不平衡補償装置３は、簡単にＩＱインバランスを補償することができる。
【００６６】
より具体的には、パラメータ調整部３２は、パワーが最小となるように振幅調整部１０２ａ〜１０２ｄ、デスキュー部１０３ａ〜１０３ｄ、及び位相シフタ１６ａ，１６ｂの各設定値を調整する。このため、不平衡補償装置３は、クロストーク成分を最小とすることで、ＩＱインバランスの大きさを最小に抑制することができる。
【００６７】
本例において、不平衡補償装置３は、送信装置１とは独立して設けられているが、送信装置１の内部に設けられてもよい。この場合、送信装置１は、さらにＢＰＦ３０と、パワー測定部３１と、パラメータ調整部３２とを有する。このため、送信装置１は、上述した内容と同様の作用効果を奏することができる。
【００６８】
図７は、送信装置１におけるＩＱインバランスの補償処理の一例を示すフローチャートである。パラメータ調整部３２は、Ｘ軸及びＹ軸のうち、一方の偏波成分の光変調を停止させる（ステップＳｔ１）。このとき、パラメータ調整部３２は、Ｘ偏波についてＩＱインバランスを補償する場合、Ｙ偏波のＭＺＭ１３ｃ，１３ｄの動作を停止制御し、Ｙ偏波についてＩＱインバランスを補償する場合、Ｘ偏波のＭＺＭ１３ａ，１３ｂの動作を停止制御する。
【００６９】
以降の処理では、Ｘ偏波及びＹ偏波の一方についてのＩＱインバランスの補償処理のみが行われるが、他方についても同様の処理が実行される。パラメータ調整部３２は、Ｘ偏波についてＩＱインバランスを補償する場合、振幅調整部１０２ａ，１０２ｂ、デスキュー部１０３ａ，１０３ｂ、及び位相シフタ１６ａの各設定値を調整する。
【００７０】
また、パラメータ調整部３２は、Ｙ偏波についてＩＱインバランスを補償する場合、振幅調整部１０２ｃ，１０２ｄ、デスキュー部１０３ｃ，１０３ｄ、及び位相シフタ１６ｂの各設定値を調整する。ただし、以下の説明では、便宜上、振幅調整部１０２ａ〜１０２ｄ、デスキュー部１０３ａ〜１０３ｄ、及び位相シフタ１６ａ，１６ｂの各調整値を、調整対象として一括で記載する。
【００７１】
ＢＰＦ１８ａ〜１８ｄは、データ信号Ｄｔから上側波帯または下側波帯の信号成分を抽出することによりＳＳＢ信号を生成する（ステップＳｔ２）。このとき、上側波帯に信号帯域を有するＳＳＢ信号が生成されると仮定するが、これに限定されず、下側波帯に信号帯域を有するＳＳＢ信号が生成されてもよい。
【００７２】
また、ＢＰＦ１８ａ〜１８ｄは、ＳＳＢ信号に限定されず、上側波帯の信号成分のパワーの平均値と下側波帯の信号成分のパワーの平均値が相違する信号を生成すればよい。つまり、ＢＰＦ１８ａ〜１８ｄは、送信対象の信号を、上側波帯の信号成分のパワーの平均値と下側波帯の信号成分のパワーの平均値が相違するように変換する。
【００７３】
次に、ＢＰＦ３０は、試験信号Ｓｔから下側波帯の信号成分（ＬＳＢ成分）を抽出する（ステップＳｔ３）。これにより、送信装置１のＩＱインバランスにより試験信号Ｓｔに生じたクロストーク成分が抽出される。なお、ステップＳｔ２で生成されたＳＳＢ信号が下側波帯に信号帯域を有する場合、ＢＰＦ３０は、試験信号Ｓｔから上側波帯の信号成分（ＵＳＢ成分）を抽出する。
【００７４】
次に、パラメータ調整部３２は、振幅調整部１０２ａ〜１０２ｄ、デスキュー部１０３ａ〜１０３ｄ、及び位相シフタ１６ａ，１６ｂの各設定値を初期化する（ステップＳｔ４）。以降の処理において、パラメータ調整部３２は、デスキュー部１０３ａ〜１０３ｄ、及び位相シフタ１６ａ，１６ｂの各設定値を順次に調整するが、その順序に限定はなく、また、何れか１つの設定値のみを調整してもよい。なお、以降の説明では、振幅調整部１０２ａ〜１０２ｄ、デスキュー部１０３ａ〜１０３ｄ、及び位相シフタ１６ａ，１６ｂの各設定値を、「振幅の設定値」、「スキューの設定値」、及び「位相シフト量の設定値」と表記する。
【００７５】
パワー測定部３１は、ＢＰＦ３０が抽出した下側波帯の信号成分のパワーを測定する（ステップＳｔ５）。測定されたパワー（測定値）は、パラメータ調整部３２に通知され、パラメータ調整部３２内のメモリなどの記憶手段に記憶される。
【００７６】
次に、パラメータ調整部３２は振幅の設定値を変更する（ステップＳｔ６）。例えば、パラメータ調整部３２は設定値を所定値だけ増加させる。次に、パラメータ調整部３２は、設定値が所定の調整範囲内であるか否かを判定する（ステップＳｔ７）。なお、設定値の調整範囲は、例えば振幅調整部１０２ａ〜１０２ｄの機能に基づき決定される。
【００７７】
設定値が調整範囲内である場合（ステップＳｔ７のＹｅｓ）、ステップＳｔ５以降の処理が再び実行される。また、設定値が調整範囲外である場合（ステップＳｔ７のＮｏ）、パラメータ調整部３２は、下側波帯の信号成分のパワーが最小となる設定値を振幅調整部１０２ａ〜１０２ｄに設定する（ステップＳｔ８）。このため、不平衡補償装置３は、同相成分と直交位相成分の間のパワー差を最小とすることができる。
【００７８】
次に、パワー測定部３１は、ＢＰＦ３０が抽出した下側波帯の信号成分のパワーを測定する（ステップＳｔ９）。測定されたパワーは、パラメータ調整部３２に通知され、パラメータ調整部３２内のメモリなどの記憶手段に記憶される。
【００７９】
次に、パラメータ調整部３２はスキューの設定値を変更する（ステップＳｔ１０）。例えば、パラメータ調整部３２は設定値を所定値だけ増加させる。次に、パラメータ調整部３２は、設定値が所定の調整範囲内であるか否かを判定する（ステップＳｔ１１）。なお、設定値の調整範囲は、例えばデスキュー部１０３ａ〜１０３ｄの機能に基づき決定される。
【００８０】
設定値が調整範囲内である場合（ステップＳｔ１１のＹｅｓ）、ステップＳｔ９以降の処理が再び実行される。また、設定値が調整範囲外である場合（ステップＳｔ１１のＮｏ）、パラメータ調整部３２は、下側波帯の信号成分のパワーが最小となる設定値をデスキュー部１０３ａ〜１０３ｄに設定する（ステップＳｔ１２）。このため、不平衡補償装置３は、同相成分と直交位相成分の間のスキューを最小とすることができる。
【００８１】
次に、パワー測定部３１は、ＢＰＦ３０が抽出した下側波帯の信号成分のパワーを測定する（ステップＳｔ１３）。測定されたパワーは、パラメータ調整部３２に通知され、パラメータ調整部３２内のメモリなどの記憶手段に記憶される。
【００８２】
次に、パラメータ調整部３２は位相シフト量の設定値を変更する（ステップＳｔ１４）。例えば、パラメータ調整部３２は設定値を所定値だけ増加させる。次に、パラメータ調整部３２は、設定値が所定の調整範囲内であるか否かを判定する（ステップＳｔ１５）。なお、設定値の調整範囲は、例えばデスキュー部１０３ａ〜１０３ｄの機能に基づき決定される。
【００８３】
設定値が調整範囲内である場合（ステップＳｔ１５のＹｅｓ）、ステップＳｔ１３以降の処理が再び実行される。また、設定値が調整範囲外である場合（ステップＳｔ１５のＮｏ）、パラメータ調整部３２は、下側波帯の信号成分のパワーが最小となる設定値を位相シフタ１６ａ，１６ｂに設定する（ステップＳｔ１６）。このため、不平衡補償装置３は、同相成分と直交位相成分の間の直交偏差を最小とすることができる。
【００８４】
このようにして、ＩＱインバランスの補償処理は実行される。この補償処理に基づく不平衡補償方法によっても不平衡補償装置３と同様の採用効果が得られる。
【００８５】
本例において、ＢＰＦ３０は、試験信号Ｓｔからクロストーク成分を抽出するが、これに限定されず、クロストーク成分の生成元の信号成分を抽出してもよい。例えば、試験信号Ｓｔが、図１の符号Ｇ２で示されるスペクトルを有する場合、ＢＰＦ３０は上側波帯Ｓａの信号成分を抽出する。また、試験信号Ｓｔが、図１の符号Ｇ４で示されるスペクトルを有する場合、ＢＰＦ３０は下側波帯Ｓｂの信号成分を抽出する。
【００８６】
すなわち、ＢＰＦ３０は、上側波帯Ｓａの信号成分及び下側波帯Ｓｂの信号成分のうち、パワー（平均値）が大きいほうを抽出する。抽出された信号成分は、クロストーク成分が大きいほど、パワーが減少する。このため、パラメータ調整部３２は、パワー測定部３１が測定したパワーが最大となるように振幅調整部１０２ａ〜１０２ｄ、デスキュー部１０３ａ〜１０３ｄ、及び位相シフタ１６ａ，１６ｂの各設定値を調整する。この場合の補償処理について以下に述べる。
【００８７】
図８は、送信装置１におけるＩＱインバランスの補償処理の他例を示すフローチャートである。図８において、図７と共通する処理には同一の符号を付し、その説明は省略する。
【００８８】
ＢＰＦ１８ａ〜１８ｄは、下側波帯に信号帯域を有するＳＳＢ信号を生成する（ステップＳｔ２ａ）。次に、ＢＰＦ３０は、試験信号Ｓｔから、クロストーク成分である上側波帯の信号成分（ＵＳＢ成分）を抽出する（ステップＳｔ３ａ）。
【００８９】
また、パワー測定部３１は、下側波帯の信号成分（ＵＳＢ成分）のパワーを測定する（ステップＳｔ５ａ，Ｓｔ９ａ，Ｓｔ１３ａ）。パラメータ調整部３２は、測定されたパワーが最大となるように各設定値を設定する（ステップＳｔ８ａ，Ｓｔ１２ａ，Ｓｔ１６ａ）。
【００９０】
このため、不平衡補償装置３は、クロストーク成分を最小とすることで、同相成分と直交位相成分の間のパワー差、スキュー、及び直交偏差を最小とすることができる。
【００９１】
次に、受信装置のＩＱインバランスを補償する場合について述べる。
【００９２】
図９は、受信装置２及び不平衡補償装置４の一例を示す構成図である。受信装置２は、同相成分及び直交位相成分を含む試験信号Ｓｔを受信する。不平衡補償装置４は、受信装置２のＩＱインバランスを補償する。試験信号Ｓｔは、受信装置２の受信可能な帯域内の周波数ごとのパワーが相違する。
【００９３】
受信装置２は、受信処理回路２０と、ＡＤＣ（Analog-to-Digital Convertor）２２ａ〜２２ｄと、コヒーレント受信器２９とを有する。コヒーレント受信器２９は、光源２１と、ＰＤ（Photodiode）２３ａ〜２３ｄと、９０度光ハイブリッド回路２４０，２４１と、ＰＢＳ２５，２６とを有する。
【００９４】
ＰＢＳ２６は、入力された試験信号Ｓｒを、Ｘ軸成分及びＹ軸成分に分離して９０度光ハイブリッド回路２４０，２４１にそれぞれ出力する。また、光源２１は、局発光ＬＯｒをＰＢＳ２５に入力する。ＰＢＳ２５は、局発光ＬＯｒをＸ軸成分及びＹ軸成分に分離して９０度光ハイブリッド回路２４０，２４１にそれぞれ出力する。
【００９５】
９０度光ハイブリッド回路２４０は、試験信号ＳｒのＸ軸成分及び局発光ＬＯｒのＸ軸成分を干渉させるための導波路を有し、試験信号ＳｒのＸ軸成分を検波する。９０度光ハイブリッド回路２４０は、検波結果として、同相成分及び直交位相成分の振幅及び位相に応じた光成分をＰＤ２３ａ，２３ｂにそれぞれ出力する。
【００９６】
９０度光ハイブリッド回路２４１は、試験信号ＳｒのＸ軸成分及び局発光ＬＯｒの軸成分を干渉させるための導波路を有し、試験信号ＳｒのＹ軸成分を検波する。９０度光ハイブリッド回路２４１は、検波結果として、同相成分及び直交位相成分の振幅及び位相に応じた光成分をＰＤ２３ｃ，２３ｄにそれぞれ出力する。
【００９７】
ＰＤ２３ａ〜２３ｄは、入力された光成分を電気信号に変換して、電気信号をＡＤＣ２２ａ〜２２ｄにそれぞれ出力する。ＡＤＣ２２ａ〜２２ｄは、ＰＤ２３ａ〜２３ｄから入力された電気信号をデジタル信号Ｘｉ，Ｘｑ，Ｙｉ，Ｙｑにそれぞれ変換する。デジタル信号Ｘｉ，Ｘｑ，Ｙｉ，Ｙｑは受信処理回路２０に入力される。
【００９８】
光源２１の局発光ＬＯｒの中心周波数は、不平衡補償装置４により試験信号Ｓｒの中心周波数とは異なる値に設定される。これにより、試験信号ＳｒはＳＳＢ信号に変換される。
【００９９】
図１０は、受信装置２の局発光Ｌｏｒの中心周波数ｆｒの一例を示す図である。局発光Ｌｏｒの中心周波数ｆｒは、試験信号Ｓｒの中心周波数ではなく、試験信号Ｓｒのスペクトルの下側波帯側の端部の周波数に設定される。このため、試験信号Ｓｒは、上側波帯に信号帯域を有するＳＳＢ信号となる。なお、試験信号Ｓｒは下側波帯に信号帯域を有するＳＳＢ信号であってもよい。また、試験信号Ｓｒは、ＳＳＢ信号に限定されず、上側波帯の信号成分のパワーと下側波帯の信号成分のパワーが相違する信号であればよい。
【０１００】
このように、光源２１は、変換部の一例として、試験信号Ｓｒの上側波帯の信号成分のパワー（平均値）と下側波帯の信号成分のパワー（平均値）が相違するように試験信号Ｓｒを変換する。このため、送信装置１が試験信号Ｓｒを変換する必要がないので、不平衡補償装置４は、後述するように、変換後の試験信号Ｓｒから抽出した信号成分を用いて、ＩＱインバランスの補償が可能である。
【０１０１】
受信処理回路２０は、振幅調整部２００ａ〜２００ｄ、デスキュー部２０１ａ〜２０１ｄ、直交偏差調整部２０２ａ〜２０２ｄ、及び復調処理部２０３を有する。なお、受信処理回路２０としては、例えばＤＳＰが挙げられるが、これに限定されず、例えばＦＰＧＡであってもよい。また、受信処理回路２０には、上記以外の機能が含まれてもよい。
【０１０２】
振幅調整部２００ａ〜２００ｄは、アンプ回路などを含み、ＡＤＣ２２ａ〜２２ｄから入力されたデジタル信号Ｘｉ，Ｘｑ，Ｙｉ，Ｙｑの振幅を、不平衡補償装置４から与えられた設定値に従い調整する。振幅の調整後のデジタル信号Ｘｉ，Ｘｑ，Ｙｉ，Ｙｑはデスキュー部２０１ａ〜２０１ｄに入力される。
【０１０３】
デスキュー部２０１ａ〜２０１ｄは、遅延挿入回路などを含み、振幅調整部２００ａ〜２００ｄから入力されたデジタル信号Ｘｉ，Ｘｑ，Ｙｉ，Ｙｑのスキューを、不平衡補償装置４から与えられた設定値に従い調整する。スキューの調整後のデジタル信号Ｘｉ，Ｘｑ，Ｙｉ，Ｙｑは不平衡補償装置４及び復調処理部２０３に入力される。復調処理部２０３は、デジタル信号Ｘｉ，Ｘｑ，Ｙｉ，Ｙｑの復調処理を行う。
【０１０４】
なお、振幅調整部２００ａ〜２００ｄは、デスキュー部２０１ａ〜２０１ｄの後段に設けられてもよい。また、振幅調整部２００ａ〜２００ｄ及びデスキュー部２０１ａ〜２０１ｄは、ＡＤＣ２２ａ〜２２ｄの後段に設けられているが、ＡＤＣ２２ａ〜２２ｄの前段に設けられてもよい。また、不平衡補償装置４には、ＡＤＣ２２ａ〜２２ｄの後段のデジタル信号Ｘｉ，Ｘｑ，Ｙｉ，Ｙｑが入力されるが、ＡＤＣ２２ａ〜２２ｄの前段のアナログ信号が入力されてもよい。ただし、この場合、振幅調整部２００ａ〜２００ｄ及びデスキュー部２０１ａ〜２０１ｄは、ＡＤＣ２２ａ〜２２ｄの前段に設けられる。
【０１０５】
不平衡補償装置４は、合成処理部４０ａ，４０ｂと、電気フィルタであるＢＰＦ４１ａ，４１ｂと、パワー測定部４２ａ，４２ｂと、パラメータ調整部４３とを有する。合成処理部４０ａ、ＢＰＦ４１ａ、及びパワー測定部４２ａは、Ｙ偏波のデジタル信号Ｙｉ，ＹｑについてＩＱインバランスの補償処理に用いられ、合成処理部４０ｂ、ＢＰＦ４１ｂ、及びパワー測定部４２ｂは、Ｘ偏波のデジタル信号Ｘｉ，ＸｑについてＩＱインバランスの補償処理に用いられる。
【０１０６】
合成処理部４０ａは、加算器などの回路を含み、デジタル信号Ｙｉ，ＹｑからＹ偏波の信号Ｓｙを合成する。信号ＳｙはＢＰＦ４１ａに入力される
【０１０７】
ＢＰＦ４１ａは、抽出部の一例であり、信号Ｓｙから上側波帯の信号成分または下側波帯の信号成分を抽出する。ＢＰＦ４１ａは、信号Ｓｙが上側波帯に信号帯域を有するＳＳＢ信号である場合、信号Ｓｙの下側波帯の信号成分を抽出し、信号Ｓｙが下側波帯に信号帯域を有するＳＳＢ信号である場合、信号Ｓｙの上側波帯の信号成分を抽出する。これにより、ＩＱインバランスにより信号Ｓｙに生じたクロストーク成分が抽出される。ＢＰＦ４１ａにより抽出された信号成分はパワー測定部４２ａに入力される。
【０１０８】
パワー測定部４２ａは、測定部の一例であり、ＢＰＦ４１ａにより抽出された信号成分のパワーを測定する。より具体的には、パワー測定部４２ａは、信号Ｓｙのクロストーク成分のパワーを測定する。測定されたパワーはパラメータ調整部４３に通知される。
【０１０９】
合成処理部４０ｂは、加算器などの回路を含み、デジタル信号Ｘｉ，ＸｑからＸ偏波の信号Ｓｘを合成する。信号ＳｘはＢＰＦ４１ｂに入力される
【０１１０】
ＢＰＦ４１ｂは、抽出部の一例であり、信号Ｓｘから上側波帯の信号成分または下側波帯の信号成分を抽出する。ＢＰＦ４１ｂは、信号Ｓｘが上側波帯に信号帯域を有するＳＳＢ信号である場合、信号Ｓｘの下側波帯の信号成分を抽出し、信号Ｓｘが下側波帯に信号帯域を有するＳＳＢ信号である場合、信号Ｓｘの上側波帯の信号成分を抽出する。これにより、ＩＱインバランスにより信号Ｓｘに生じたクロストーク成分が抽出される。ＢＰＦ４１ｂにより抽出された信号成分はパワー測定部４２ｂに入力される。
【０１１１】
パワー測定部４２ｂは、測定部の一例であり、ＢＰＦ４１ｂにより抽出された信号成分のパワーを測定する。より具体的には、パワー測定部４２ｂは、信号Ｓｘのクロストーク成分のパワーを測定する。測定されたパワーはパラメータ調整部４３に通知される。
【０１１２】
パラメータ調整部４３は、調整部の一例であり、パワー測定部４２ａ，４２ｂから通知されたパワーに基づき、ＩＱインバランスに関するパラメータを調整する。より具体的には、パラメータ調整部４３は、Ｘ偏波について、パワー測定部４２ｂから通知されたパワーに基づき振幅調整部２００ａ，２００ｂ、デスキュー部２０１ａ，２０１ｂ、及び直交偏差調整部２０２ａ，２０２ｂの各設定値を調整する。
【０１１３】
また、パラメータ調整部４３は、Ｙ偏波について、パワー測定部４２ａから通知されたパワーに基づき振幅調整部２００ｃ，２００ｄ、デスキュー部２０１ｃ，２０１ｄ、及び直交偏差調整部２０２ｃ，２０２ｄの各設定値を調整する。なお、各設定値は、ＩＱインバランスに関するパラメータの一例である。
【０１１４】
このように、不平衡補償装置４は、上側波帯の信号成分のパワーの平均値と下側波帯の信号成分のパワーの平均値が相違する信号Ｓｘ，Ｓｙのパワーを測定し、そのパワーに応じて試験信号Ｓｒの同相成分及び直交位相成分の間の不平衡、つまりＩＱインバランスを補償する。このため、不平衡補償装置４は、簡単にＩＱインバランスを補償することができる。
【０１１５】
より具体的には、パラメータ調整部４３は、パワーが最小となるように振幅調整部２００ａ〜２００ｄ、デスキュー部２０１ａ〜２０１ｄ、及び直交偏差調整部２０２ａ〜２０２ｄの各設定値を調整する。このため、不平衡補償装置４は、クロストーク成分を最小とすることで、ＩＱインバランスの大きさを最小に抑制することができる。
【０１１６】
本例において、不平衡補償装置４は、受信装置２とは独立して設けられているが、受信装置２の内部に設けられてもよい。この場合、受信装置２は、さらに合成処理部４０ａ，４０ｂと、ＢＰＦ４１ａ，４１ｂと、パワー測定部４２ａ，４２ｂと、パラメータ調整部４３とを有する。このため、受信装置２は、上述した内容と同様の作用効果を奏することができる。
【０１１７】
図１１は、受信装置２におけるＩＱインバランスの補償処理の一例を示すフローチャートである。本例では、Ｘ偏波及びＹ偏波の一方のみについての補償処理を挙げるが、以下の説明では、便宜上、振幅調整部２００ａ〜２００ｄ、デスキュー部２０１ａ〜２０１ｄ、及び直交偏差調整部２０２ａ〜２０２ｄの各調整値を、調整対象として一括で記載する。
【０１１８】
パラメータ調整部４３は、図１０に示されるように、試験信号Ｓｒが上側波帯の信号成分のＳＳＢ信号に変換されるように局発光ＬＯｒの中心周波数ｆｒを調整する（ステップＳｔ２１）。次に、ＢＰＦ４１ａ，４１ｂは、試験信号Ｓｒから得られた信号Ｓｘ，Ｓｙから下側波帯（ＬＳＢ成分）の信号成分を抽出する（ステップＳｔ２２）。これにより、受信装置２のＩＱインバランスにより試験信号Ｓｒに生じたクロストーク成分が抽出される。なお、ステップＳｔ２１で生成されたＳＳＢ信号が下側波帯に信号帯域を有する場合、ＢＰＦ４１ａ，４１ｂは、試験信号Ｓｒから上側波帯の信号成分（ＵＳＢ成分）を抽出する。
【０１１９】
次に、パラメータ調整部４３は、振幅調整部２００ａ〜２００ｄ、デスキュー部２０１ａ〜２０１ｄ、及び直交偏差調整部２０２ａ〜２０２ｄの各調整値を初期化する（ステップＳｔ２３）。以降の処理において、パラメータ調整部４３は、振幅調整部２００ａ〜２００ｄ、デスキュー部２０１ａ〜２０１ｄ、及び直交偏差調整部２０２ａ〜２０２ｄの各設定値を順次に調整するが、その順序に限定はなく、また、何れか１つの設定値のみを調整してもよい。なお、以降の説明では、パラメータ調整部４３は、振幅調整部２００ａ〜２００ｄ、デスキュー部２０１ａ〜２０１ｄ、及び直交偏差調整部２０２ａ〜２０２ｄの各設定値を、「振幅の設定値」、「スキューの設定値」、及び「位相シフト量の設定値」と表記する。
【０１２０】
パワー測定部４２ａ，４２ｂは、ＢＰＦ４１ａ，４１ｂが抽出した下側波帯の信号成分のパワーを測定する（ステップＳｔ２４）。測定されたパワー（測定値）は、パラメータ調整部４３に通知され、パラメータ調整部４３内のメモリなどの記憶手段に記憶される。
【０１２１】
次に、パラメータ調整部４３は振幅の設定値を変更する（ステップＳｔ２５）。例えば、パラメータ調整部４３は設定値を所定値だけ増加させる。次に、パラメータ調整部４３は、設定値が所定の調整範囲内であるか否かを判定する（ステップＳｔ２６）。なお、設定値の調整範囲は、例えば振幅調整部２００ａ〜２００ｄの機能に基づき決定される。
【０１２２】
設定値が調整範囲内である場合（ステップＳｔ２６のＹｅｓ）、ステップＳｔ２４以降の処理が再び実行される。また、設定値が調整範囲外である場合（ステップＳｔ２６のＮｏ）、パラメータ調整部４３は、下側波帯の信号成分のパワーが最小となる設定値を振幅調整部２００ａ〜２００ｄに設定する（ステップＳｔ２７）。このため、不平衡補償装置４は、同相成分と直交位相成分の間のパワー差を最小とすることができる。
【０１２３】
次に、パワー測定部４２ａ，４２ｂは、ＢＰＦ４１ａ，４１ｂが抽出した下側波帯の信号成分のパワーを測定する（ステップＳｔ２８）。測定されたパワーは、パラメータ調整部４３に通知され、パラメータ調整部４３内のメモリなどの記憶手段に記憶される。
【０１２４】
次に、パラメータ調整部４３は振幅の設定値を変更する（ステップＳｔ２９）。例えば、パラメータ調整部４３は設定値を所定値だけ増加させる。次に、パラメータ調整部４３は、設定値が所定の調整範囲内であるか否かを判定する（ステップＳｔ３０）。なお、設定値の調整範囲は、例えばデスキュー部２０１ａ〜２０１ｄの機能に基づき決定される。
【０１２５】
設定値が調整範囲内である場合（ステップＳｔ３０のＹｅｓ）、ステップＳｔ２８以降の処理が再び実行される。また、設定値が調整範囲外である場合（ステップＳｔ３０のＮｏ）、パラメータ調整部４３は、下側波帯の信号成分のパワーが最小となる設定値をデスキュー部２０１ａ〜２０１ｄに設定する（ステップＳｔ３１）。このため、不平衡補償装置４は、同相成分と直交位相成分の間のスキューを最小とすることができる。
【０１２６】
次に、パワー測定部４２ａ，４２ｂは、ＢＰＦ４１ａ，４１ｂが抽出した下側波帯の信号成分のパワーを測定する（ステップＳｔ３２）。測定されたパワーは、パラメータ調整部４３に通知され、パラメータ調整部４３内のメモリなどの記憶手段に記憶される。
【０１２７】
次に、パラメータ調整部４３は直交偏差の設定値を変更する（ステップＳｔ３３）。例えば、パラメータ調整部４３は設定値を所定値だけ増加させる。次に、パラメータ調整部４３は、設定値が所定の調整範囲内であるか否かを判定する（ステップＳｔ３４）。なお、設定値の調整範囲は、例えば直交偏差調整部２０２ａ〜２０２ｄの機能に基づき決定される。
【０１２８】
設定値が調整範囲内である場合（ステップＳｔ３４のＹｅｓ）、ステップＳｔ３２以降の処理が再び実行される。また、設定値が調整範囲外である場合（ステップＳｔ３４のＮｏ）、パラメータ調整部４３は、下側波帯の信号成分のパワーが最小となる設定値を直交偏差調整部２０２ａ〜２０２ｄに設定する（ステップＳｔ３５）。このため、不平衡補償装置４は、同相成分と直交位相成分の間の直交偏差を最小とすることができる。
【０１２９】
このようにして、ＩＱインバランスの補償処理は実行される。この補償処理に基づく不平衡補償方法によっても不平衡補償装置３と同様の採用効果が得られる。
【０１３０】
本例において、ＢＰＦ４１ａ，４１ｂは、試験信号Ｓｒからクロストーク成分を抽出するが、これに限定されず、クロストーク成分の生成元の信号成分を抽出してもよい。例えば、試験信号Ｓｒが、図１の符号Ｇ２で示されるスペクトルを有する場合、ＢＰＦ４１ａ，４１ｂは上側波帯Ｓａの信号成分を抽出する。また、試験信号Ｓｒが、図１の符号Ｇ４で示されるスペクトルを有する場合、ＢＰＦ４１ａ，４１ｂは下側波帯Ｓｂの信号成分を抽出する。
【０１３１】
すなわち、ＢＰＦ４１ａ，４１ｂは、上側波帯Ｓａの信号成分及び下側波帯Ｓｂの信号成分のうち、パワーの平均値が大きいほうを抽出する。抽出された信号成分は、クロストーク成分が大きいほど、パワーが減少する。このため、パラメータ調整部４３は、パワー測定部４２ａ，４２ｂが測定したパワーが最大となるように振幅調整部２００ａ〜２００ｄ、デスキュー部２０１ａ〜２０１ｄ、及び直交偏差調整部２０２ａ〜２０２ｄの各設定値を調整する。この場合の補償処理について以下に述べる。
【０１３２】
図１２は、受信装置２におけるＩＱインバランスの補償処理の他例を示すフローチャートである。図１２において、図１１と共通する処理には同一の符号を付し、その説明は省略する。
【０１３３】
ＢＰＦ４１ａ，４１ｂは、試験信号Ｓｒから得られた信号Ｓｘ，Ｓｙから上側波帯（ＵＳＢ成分）の信号成分を抽出する（ステップＳｔ２２ａ）。これにより、試験信号Ｓｒの信号帯域の信号成分が抽出される。なお、ステップＳｔ２１で生成されたＳＳＢ信号が下側波帯に信号帯域を有する場合、ＢＰＦ４１ａ，４１ｂは、試験信号Ｓｒから下側波帯の信号成分（ＬＳＢ成分）を抽出する。
【０１３４】
また、パワー測定部４２ａ，４２ｂは、上側波帯の信号成分（ＵＳＢ成分）のパワーを測定する（ステップＳｔ２４ａ，Ｓｔ２８ａ，Ｓｔ３２ａ）。パラメータ調整部４３は、測定されたパワーが最大となるように各設定値を設定する（ステップＳｔ２７ａ，Ｓｔ３１ａ，Ｓｔ３５ａ）。
【０１３５】
このため、不平衡補償装置４は、クロストーク成分を最小とすることで、同相成分と直交位相成分の間のパワー差、スキュー、及び直交偏差を最小とすることができる。
【０１３６】
また、送信装置１のＩＱインバランスは、受信装置２に設けられた不平衡補償装置により補償することもできる。
【０１３７】
図１３は、送信装置１ａのＩＱインバランスを補償する伝送システムの一例を示す構成図である。伝送システムは、光ファイバの伝送路９により互いに接続された送信装置１ａ及び受信装置２ａを有する。なお、図１３において、図６及び図９と共通する構成には同一の符号を付し、その説明は省略する。
【０１３８】
送信装置１ａは、送信処理回路１０ａ，１０ｂと、フィルタ部１８と、信号多重部１７と、ＤＡ変換部１２と、光変調部１９とを有する。受信装置２ａは、コヒーレント受信器２９と、ＡＤ変換部２２と、波長分散補償回路（CDC: Chromatic Dispersion Compensator）２７と、試験信号取得部２８と、受信処理回路２０と、ＢＰＦ４１と、パワー測定部４２と、パラメータ調整部４３ａとを有する。
【０１３９】
送信装置１ａは、試験信号またはクライアント信号を選択し伝送路９に送信する。送信処理回路１０ａ，１０ｂは、上記の送信処理回路１０と同様の構成を有する。送信処理回路１０ａは試験信号の送信処理を実行し、送信処理回路１０ｂはクライアント信号の送信処理を実行する。
【０１４０】
送信処理回路１０ａから出力された試験信号はフィルタ部１８に入力される。フィルタ部１８は上記のＢＰＦ１８ａ〜１８ｄを含む。試験信号は、フィルタ部１８により偏波ごとに例えばＳＳＢ信号に変換されて信号多重部１７に入力される。なお、試験信号は、上側波帯の信号成分のパワーの平均値と下側波帯の信号成分のパワーの平均値が相違する信号に変換されればよい。
【０１４１】
また、送信処理回路１０ｂから出力されたクライアント信号は信号多重部１７に入力される。なお、クライアント信号はＤＳＢ（Double Side Band）信号である。
【０１４２】
信号多重部１７は、試験信号とクライアント信号を時分割多重してＤＡ変換部１２に出力する。試験信号とクライアント信号は、符号Ｇ６で示されるように、例えば時刻軸上で交互に出力される。試験信号は、例えば所定のパタンのデータを含み、伝送特性の調整を行うトレーニング期間に出力される。なお、試験信号は、同相成分と直交位相成分を含む信号の一例である。
【０１４３】
ＤＡ変換部１２は上記のＤＡＣ１２ａ〜１２ｄを含む。ＤＡ変換部１２によりデジタル信号に変換された試験信号またはクライアント信号は、光変調部１９により変調されて伝送路９に送信される。
【０１４４】
受信装置２ａは、送信装置１ａから伝送路９を介して試験信号またはクライアント信号を受信する。試験信号またはクライアント信号はコヒーレント受信器２９に入力される。コヒーレント受信器２９から出力された試験信号またはクライアント信号はＡＤ変換部２２に入力される。ＡＤ変換部２２は上記のＡＤＣ２２ａ〜２２ｄを含む。ＡＤＣ２２ａ〜２２ｄによりデジタル信号に変換された試験信号またはクライアント信号は、ＣＤＣ２７に入力される。
【０１４５】
ＣＤＣ２７は、伝送路９で試験信号またはクライアント信号に生じた波長分散を補償する。波長分散の補償後の試験信号またはクライアント信号は、試験信号取得部２８に入力される。なお、ＣＤＣ２７は例えばＦＰＧＡのような回路により構成される。
【０１４６】
試験信号取得部２８は、試験信号を例えば所定のパタンにより識別してＢＰＦ４１に出力する。また、試験信号取得部２８は、クライアント信号を受信処理回路２０に出力する。なお、試験信号取得部２８は例えばＦＰＧＡのような回路により構成される。
【０１４７】
ＢＰＦ４１は、抽出部の一例であり、試験信号取得部２８から入力された試験信号から、上側波帯の信号成分または下側波帯の信号成分を抽出する。ＢＰＦ４１は、例えば試験信号が上側波帯に信号帯域を有する場合、下側波帯の信号成分を抽出し、例えば試験信号が下側波帯に信号帯域を有する場合、上側波帯の信号成分を抽出する。これにより、ＢＰＦ４１は、試験信号からＩＱインバランスによるクロストーク成分を抽出する。なお、ＢＰＦ４１は電気的なフィルタである。
【０１４８】
パワー測定部４２は、測定部の一例であり、ＢＰＦ４１により抽出された信号成分のパワーを測定する。パワー測定部４２は、測定したパワーをパラメータ調整部４３ａに通知する。
【０１４９】
パラメータ調整部４３ａは、調整部の一例であり、送信装置１ａに対し、パワー測定部４２が測定したパワーに基づき、ＩＱインバランスに関するパラメータを調整する。より具体的には、パラメータ調整部４３ａは、パワーに基づき送信処理回路１０ａ，１０ｂの振幅調整部１０２ａ〜１０２ｄ、デスキュー部１０３ａ〜１０３ｄ、及び光変調部１９の位相シフタ１６ａ，１６ｂの各設定値を調整する。なお、各設定値は、ＩＱインバランスに関するパラメータの一例であり、ＬＡＮ（Local Area Network）などを介して受信装置２ａから送信装置１ａに送信される。
【０１５０】
この伝送システムによると、トレーニング期間に試験信号に基づき送信装置１ａのＩＱインバランスを容易に補償することができる。なお、本例において、試験信号は、ＳＳＢ信号としたが、上側波帯の信号成分のパワーの平均値と下側波帯の信号成分のパワーの平均値が相違する信号であれば限定はない。
【０１５１】
また、試験信号を、以下に述べるように、上側波帯に信号帯域を有する信号（以下、「ＵＳＢ信号」と表記）、または下側波帯に信号帯域を有する信号（以下、「ＬＳＢ信号」と表記）に周期的に切り替えてもよい。これにより、試験信号のパワーが上側波帯と下側波帯の間で時間的に平均化されるため、上記の各設定値が高精度に調整される。
【０１５２】
図１４は、送信装置１ｂのＩＱインバランスを補償する伝送システムの他の例を示す構成図である。図１４において、図１３と共通する構成には同一の符号を付し、その説明は省略する。
【０１５３】
送信装置１ｂは、送信処理回路１０ａ，１０ｂと、フィルタ部１８０，１８１と、スイッチ回路１８２と、信号多重部１７と、ＤＡ変換部１２と、光変調部１９とを有する。受信装置２ｂは、コヒーレント受信器２９と、ＡＤ変換部２２と、ＣＤＣ２７と、試験信号取得部２８と、受信処理回路２０と、ＢＰＦ４１１，４１２と、スイッチ回路４４と、パワー測定部４２と、パラメータ調整部４３ａとを有する。
【０１５４】
送信処理回路１０ａから出力された試験信号は分岐して２つのフィルタ部１８０，１８１に入力される。フィルタ部１８０，１８１は、上記のＢＰＦ１８ａ〜１８ｄに該当し、試験信号がＳＳＢ信号となるように上側波帯または下側波帯の信号成分を抽出する。フィルタ部１８０は試験信号をＵＳＢ信号とし、フィルタ部１８１は試験信号をＬＳＢ信号とする。ＵＳＢ信号及びＬＳＢ信号となった各試験信号はスイッチ回路１８２に入力される。
【０１５５】
スイッチ回路１８２は、選択信号ＳＥＬａに従ってＵＳＢ信号及びＬＳＢ信号の一方を選択して信号多重部１７に出力する。選択信号ＳＥＬａは、一定周期でＵＳＢ信号及びＬＳＢ信号が交互に出力されるように、不図示の制御回路により制御される。このため、ＵＳＢ信号の試験信号とＬＳＢ信号の試験信号が周期的に交互に受信装置２ｂに送信される。
【０１５６】
受信装置２ｂにおいて、試験信号取得部２８から出力された試験信号は分岐して２つのＢＰＦ４１１，４１２に入力される。ＢＰＦ４１１は、試験信号から下側波帯の信号成分を抽出し、ＢＰＦ４１２は、試験信号から上側波帯の信号成分を抽出する。このため、試験信号がＵＳＢ信号であるとき、ＢＰＦ４１１からスイッチ回路４４に試験信号のクロストーク成分が入力され、試験信号がＬＳＢ信号であるとき、ＢＰＦ４１２からスイッチ回路４４に試験信号のクロストーク成分が入力される。
【０１５７】
スイッチ回路１８２は、選択信号ＳＥＬｂに従って、ＢＰＦ４１１からの信号及びＢＰＦ４１２からの信号の一方を選択してパワー測定部４２に出力する。選択信号ＳＥＬｂは、送信装置１ｂの選択信号ＳＥＬａと同期しており、一定周期でＢＰＦ４１１からの信号及びＢＰＦ４１２からの信号が交互に出力されるように、不図示の制御回路により制御される。このため、ＵＳＢ信号の試験信号のクロストーク成分とＬＳＢ信号の試験信号のクロストーク成分が周期的に交互にパワー測定部４２に出力される。
【０１５８】
本例では、試験信号のパワーが上側波帯と下側波帯の間で時間的に平均化されるため、送信装置１ｂにおいて上記の各設定値が高精度に調整される。なお、本例において、試験信号は、ＳＳＢ信号としたが、上側波帯の信号成分のパワーの平均値と下側波帯の信号成分のパワーの平均値が相違する信号であれば限定はない。
【０１５９】
また、試験信号は、以下に述べるように、ＩＱインバランスに関する設定値の調整以外の用途に用いられることを考慮して、上記の設定値の調整期間中だけＳＳＢ信号としてもよい。
【０１６０】
図１５は、送信装置１ｃのＩＱインバランスを補償する伝送システムの他の例を示す構成図である。図１５において、図１３と共通する構成には同一の符号を付し、その説明は省略する。
【０１６１】
送信装置１ｃは、送信処理回路１０ａ，１０ｂと、スイッチ回路１８２ａと、信号多重部１７と、ＤＡ変換部１２と、光変調部１９とを有する。受信装置２ｃは、コヒーレント受信器２９と、ＡＤ変換部２２と、ＣＤＣ２７と、試験信号取得部２８と、受信処理回路２０と、ＢＰＦ４１と、パワー測定部４２と、パラメータ調整部４３ａと、タイミング制御部４５とを有する。
【０１６２】
送信処理回路１０ａから出力された試験信号は分岐してフィルタ部１８及びスイッチ回路１８２ａに入力される。フィルタ部１８は上記のＢＰＦ１８ａ〜１８ｄを含む。試験信号は、フィルタ部１８により偏波ごとに例えばＳＳＢ信号に変換されて信号多重部１７に入力される。なお、試験信号は、上側波帯の信号成分のパワーの平均値と下側波帯の信号成分のパワーの平均値が相違する信号に変換されればよい。
【０１６３】
スイッチ回路１８２ａには、フィルタ部１８からＳＳＢ信号の試験信号が入力され、送信処理回路１０ａからＤＳＢ（Double Side Band）信号の試験信号が入力される。スイッチ回路１８２ａは、選択信号ＳＥＬｃに従ってＳＳＢ信号及びＤＳＢ信号の一方を選択して信号多重部１７に出力する。選択信号ＳＥＬｃは、任意のタイミングでＵＳＢ信号が出力されるように、受信装置２ｃのタイミング制御部４５により制御される。
【０１６４】
このため、送信装置１ｃは、トレーニング期間中、通常、ＤＳＢ信号の試験信号を送信するが、ＩＱインバランスの補償処理を行う場合、ＳＳＢ信号の試験信号を送信する。
【０１６５】
受信装置２ｃにおいて、タイミング制御部４５は、送信装置１ｃのＩＱインバランスの補償処理を行うタイミングを送信装置１ｃのスイッチ回路１８２ａ及びパラメータ調整部４３に通知する。このため、パラメータ調整部４３は、スイッチ回路１８２ａからＳＳＢ信号が出力されるタイミングに応じて、上記の各設定値を調整することができる。なお、タイミング制御部４５は、例えばＦＰＧＡのような回路により構成される。
【０１６６】
図１６は、本例の伝送システムの制御動作の一例を示すフローチャートである。送信装置１ｃはＤＳＢ信号の試験信号を送信する（ステップＳｔ４１）。次に、受信装置２ｃのタイミング制御部４５は、例えばタイマなどに基づき、ＩＱインバランスの補償のタイミングが到来したか否かを判定する（ステップＳｔ４２）。補償のタイミングが到来していない場合（ステップＳｔ４２のＮｏ）、再びステップＳｔ４１以降の処理が実行される。
【０１６７】
補償のタイミングが到来した場合（ステップＳｔ４２のＹｅｓ）、タイミング制御部４５は、選択信号ＳＥＬｃにスイッチ回路１８２ａを切り替える（ステップＳｔ４３）。次に、送信装置１ｃはＳＳＢ信号の試験信号を送信する（ステップＳｔ４４）。次に、タイミング制御部４５は、パラメータ調整部４３に上記の各設定値の調整を指示する（ステップＳｔ４５）。
【０１６８】
このようにして、伝送システムは動作する。本例によると、任意のタイミングでＩＱインバランスの補償を行うことができる。
【０１６９】
上述した実施形態は本発明の好適な実施の例である。但し、これに限定されるものではなく、本発明の要旨を逸脱しない範囲内において種々変形実施可能である。
【０１７０】
なお、以上の説明に関して更に以下の付記を開示する。
（付記１）  信号の同相成分及び直交位相成分の間の不平衡を補償する不平衡補償装置において、
前記信号から上側波帯の信号成分または下側波帯の信号成分を抽出する抽出部と、
前記抽出部が抽出した前記上側波帯の信号成分または前記下側波帯の信号成分のパワーを測定する測定部と、
前記測定部が測定したパワーに基づき前記不平衡に関するパラメータを調整する調整部とを有することを特徴とする不平衡補償装置。
（付記２）  前記信号は、単側波帯信号であることを特徴とする付記１に記載の不平衡補償装置。
（付記３）  前記抽出部は、前記上側波帯の信号成分及び前記下側波帯の信号成分のうち、パワーが小さいほうを抽出し、
前記調整部は、前記測定部が測定したパワーが最小となるように前記パラメータを調整することを特徴とする付記１または２に記載の不平衡補償装置。
（付記４）  前記抽出部は、前記上側波帯の信号成分及び前記下側波帯の信号成分のうち、パワーが大きいほうを抽出し、
前記調整部は、前記測定部が測定したパワーが最大となるように前記パラメータを調整することを特徴とする付記１または２に記載の不平衡補償装置。
（付記５）  同相成分及び直交位相成分を含む信号を送信する送信装置において、
前記信号の上側波帯の信号成分のパワーと下側波帯の信号成分のパワーが相違するように前記信号を変換する変換部と、
前記変換部により変換された前記信号から前記上側波帯の信号成分または前記下側波帯の信号成分を抽出する抽出部と、
前記抽出部が抽出した前記上側波帯の信号成分または前記下側波帯の信号成分のパワーを測定する測定部と、
前記測定部が測定したパワーに基づき、前記同相成分及び前記直交位相成分の間の不平衡に関するパラメータを調整する調整部とを有することを特徴とする送信装置。
（付記６）  前記信号は、単側波帯信号であることを特徴とする付記５に記載の送信装置。
（付記７）  前記抽出部は、前記上側波帯の信号成分及び前記下側波帯の信号成分のうち、パワーが小さいほうを抽出し、
前記調整部は、前記測定部が測定したパワーが最小となるように前記パラメータを調整することを特徴とする付記５または６に記載の送信装置。
（付記８）  前記抽出部は、前記上側波帯の信号成分及び前記下側波帯の信号成分のうち、パワーが大きいほうを抽出し、
前記調整部は、前記測定部が測定したパワーが最大となるように前記パラメータを調整することを特徴とする付記５または６に記載の送信装置。
（付記９）  同相成分及び直交位相成分を含む信号を受信する受信装置において、
前記信号から上側波帯の信号成分または下側波帯の信号成分を抽出する抽出部と、
前記抽出部が抽出した前記上側波帯の信号成分または前記下側波帯の信号成分のパワーを測定する測定部と、
前記測定部が測定したパワーに基づき、前記同相成分及び前記直交位相成分の間の不平衡に関するパラメータを調整する調整部とを有することを特徴とする受信装置。
（付記１０）  前記信号は、単側波帯信号であることを特徴とする付記９に記載の受信装置。
（付記１１）  前記抽出部は、前記上側波帯の信号成分及び前記下側波帯の信号成分のうち、パワーが小さいほうを抽出し、
前記調整部は、前記測定部が測定したパワーが最小となるように前記パラメータを調整することを特徴とする付記９または１０に記載の受信装置。
（付記１２）  前記抽出部は、前記上側波帯の信号成分及び前記下側波帯の信号成分のうち、パワーが大きいほうを抽出し、
前記調整部は、前記測定部が測定したパワーが最大となるように前記パラメータを調整することを特徴とする付記９または１０に記載の受信装置。
（付記１３）  前記信号の上側波帯の信号成分のパワーと下側波帯の信号成分のパワーが相違するように前記信号を変換する変換部を有し、
前記抽出部は、前記変換部により変換された信号から前記上側波帯の信号成分または前記下側波帯の信号成分を抽出することを特徴とする付記９乃至１２の何れかに記載の受信装置。
（付記１４）  送信装置から、同相成分及び直交位相成分を含む信号を受信する受信装置において、
前記信号から上側波帯の信号成分または下側波帯の信号成分を抽出する抽出部と、
前記抽出部が抽出した前記上側波帯の信号成分または前記下側波帯の信号成分のパワーを測定する測定部と、
前記送信装置に対して、前記測定部が測定したパワーに基づき、前記同相成分及び前記直交位相成分の間の不平衡に関するパラメータを調整する調整部とを有することを特徴とする受信装置。
（付記１５）  前記抽出部は、前記上側波帯の信号成分及び前記下側波帯の信号成分のうち、パワーが小さいほうを抽出し、
前記調整部は、前記測定部が測定したパワーが最小となるように前記パラメータを調整することを特徴とする付記１４または１５に記載の受信装置。
（付記１６）  前記抽出部は、前記上側波帯の信号成分及び前記下側波帯の信号成分のうち、パワーが大きいほうを抽出し、
前記調整部は、前記測定部が測定したパワーが最大となるように前記パラメータを調整することを特徴とする付記１４または１５に記載の受信装置。
（付記１７）  信号の同相成分及び直交位相成分の間の不平衡を補償する不平衡補償方法において、
前記信号から上側波帯の信号成分または下側波帯の信号成分を抽出し、
該抽出した前記上側波帯の信号成分または前記下側波帯の信号成分のパワーを測定し、
該測定したパワーに基づき前記不平衡に関するパラメータを調整することを特徴とする不平衡補償方法。
（付記１８）  前記信号は、単側波帯信号であることを特徴とする付記１７に記載の不平衡補償方法。
（付記１９）  前記上側波帯の信号成分及び前記下側波帯の信号成分のうち、パワーが小さいほうを抽出し、
前記測定したパワーが最小となるように前記パラメータを調整することを特徴とする付記１７または１８に記載の不平衡補償方法。
（付記２０）  前記上側波帯の信号成分及び前記下側波帯の信号成分のうち、パワーが大きいほうを抽出し、
前記測定したパワーが最大となるように前記パラメータを調整することを特徴とする付記１７または１８に記載の不平衡補償方法。
【符号の説明】
【０１７１】
１，１ａ〜１ｃ      送信装置
２，２ａ〜２ｃ      受信装置
１８ａ〜１８ｃ，３０，４１，４１ａ，４１ｂ   ＢＰＦ
３１，４２，４２ａ，４２ｂ     パワー測定部
３２，４３，４３ａ      パラメータ調整部
１８，１８０，１８１      フィルタ部
２１        光源 
【図１】
2018170749.tif 000003
【図２】
2018170749.tif 000004
【図３】
2018170749.tif 000005
【図４】
2018170749.tif 000006
【図５】
2018170749.tif 000007
【図６】
2018170749.tif 000008
【図７】
2018170749.tif 000009
【図８】
2018170749.tif 000010
【図９】
2018170749.tif 000011
【図１０】
2018170749.tif 000012
【図１１】
2018170749.tif 000013
【図１２】
2018170749.tif 000014
【図１３】
2018170749.tif 000015
【図１４】
2018170749.tif 000016
【図１５】
2018170749.tif 000017
【図１６】
2018170749.tif 000018